(57)【要約】      （修正有）【課題】平行杆部材により多種類の食器を簡単に架設することができる上、組立てが容易なペット用食器の支持ベースを提供する。【解決手段】ペット用食器の支持ベース１は、皿状台座１０、組立部材１１及び複数組の食器２０を備える。皿状台座１０は、挿入孔を有するベースである。組立部材１１は、挿入孔に挿入して結合する挿入柱を底面に有する。食器２０は、２つの位置決め挟持板２２及び食器をそれぞれ有する。１組の平行杆部材１２が杆柱により構成され、組立部材１１の所定の位置に結合孔が形成され、結合孔に平行杆部材１２の末端部を挿入して結合し、食器２０の位置決め挟持板２２により平行杆部材１２が挟持され、食器２０が平行杆部材１２上に位置決めされる。平行杆部材１２には、様々な種類のペット用食器が架設され、組立が容易で、重心が安定し、支持ベースを傾き難くする。【選択図】図４
0003187065.tif 000002
【実用新案登録請求の範囲】
【請求項１】
皿状台座、組立部材及び複数組の食器を備えたペット用食器の支持ベースであって、
皿状台座は、挿入孔を有するベースであり、
組立部材は、挿入孔に挿入して結合する挿入柱を底面に有し、
食器は、２つの位置決め挟持板及び食器をそれぞれ有し、
１組の平行杆部材が杆柱により構成され、組立部材の所定の位置に結合孔を有し、結合孔に平行杆部材の末端部が挿入して結合し、食器の位置決め挟持板により平行杆部材が挟持され、食器が平行杆部材上に位置決めされ、
平行杆部材には、様々な種類のペット用食器が架設されることを特徴とするペット用食器の支持ベース。
【請求項２】
皿状台座の挿入孔は中心点に位置し、組立部材の底面に設けられた挿入柱は中心点からずれ、平行杆部材から中心点までの距離により食器の重心が皿状台座の中心点上に位置し、支持ベースの重心が安定することを特徴とする請求項１に記載のペット用食器の支持ベース。
【請求項３】
平行杆部材は、折り曲げて逆Ｕ字状杆に形成された杆体であることを特徴とする請求項１に記載のペット用食器の支持ベース。
【請求項４】
組立部材の底面に設けられた挿入柱の周囲には、複数の突条体が設けられていることを特徴とする請求項１に記載のペット用食器の支持ベース。
【請求項５】
皿状台座の底面には、複数の凹孔が形成され、
底盆には、複数本の凸柱が設けられ、
凸柱が凹孔へ嵌入され、底盆の外径は皿状台座より大きいことを特徴とする請求項１に記載のペット用食器の支持ベース。
【請求項６】
組立部材は、結合孔が頂部に形成され、皿状台座に対して垂直であることを特徴とする請求項１に記載のペット用食器の支持ベース。
【請求項７】
皿状台座及び複数組の食器を備えたペット用食器の支持ベースであって、
皿状台座は、少なくとも１つの挿入孔を有するベースであり、
食器は、２つの位置決め挟持板及び食器をそれぞれ有し、
１組の平行杆部材は、杆柱から構成され、平行杆部材の末端部を皿状台座の挿入孔へ挿入し、食器の２つの位置決め挟持板により平行杆部材が挟持され、食器が平行杆部材上に位置決めされ、
平行杆部材には、様々な種類のペット用食器が架設されることを特徴とするペット用食器の支持ベース。
【請求項８】
皿状台座の挿入孔の周囲には隆起したバンプが形成され、挿入孔が凹設されていることを特徴とする請求項７に記載のペット用食器の支持ベース。
【請求項９】
皿状台座の周辺には、凸状周縁が形成されていることを特徴とする請求項７に記載のペット用食器の支持ベース。
【考案の詳細な説明】
【技術分野】
【０００１】
本考案は、ペット用品に関し、特に、平行杆部材により多種類の食器を簡単に架設することができる上、組立てが容易なペット用食器の支持ベースに関する。
【背景技術】
【０００２】
例えば、飲水機、飲食皿、ペットフード用碗など、従来のペット用食器は、地面又は床に置いたり、ペット用ケージに架設することが一般的である。ペット用ケージは、正方形状又は長方形状であり、ペットが居住する空間を形成する網状片が周辺に設けられ、架設セットは、ペット用ケージに位置決めされた飲水機、飲食皿、ペットフード用碗を含む。
【０００３】
従来の飲水機、飲食皿、ペットフード用碗で用いる器具を以下（１）〜（４）で説明する。
【０００４】
（１）特許文献１は、前板、背板、左側板、右側板、底板及びトップカバーの組合せにより矩形状筐体が形成される。前板の外側面には、多数の水平固定板が配列されて固定され、互いに隣り合う固定板間には「フック溝部」が予め形成され、フック溝部に嵌合した容器の「受フレーム」は、同様に溝部に嵌合して水筒固定フレームの昇降受フレームを取り付け、ペットの成長過程に応じて食物及び水をペットへ与えることができるように、受フレーム及び昇降受フレームの高さを変えることができる。受フレームの板面には、１つ又は２つ以上の収容貫通孔が形成され、この収容貫通孔により、ペットフード及び飲用水を収容するために用いる容器をそれぞれ受ける。
【０００５】
底板の底面には、Ｔ字状嵌合部が突設され、嵌合部を前板の溝部へ可動自在に挿設し、底板により出入口に形成されたゲートを遮り、略Ｈ字状を呈する係合部材により外板の嵌合部を前板の固定板上へ嵌合して固定する。
【０００６】
特許文献１の食物容器及び飲水容器の「受フレーム」は、矩形状筐体の「フック溝部」に架設して取り付けなければならず、食物容器及び飲水容器は単独で立設させることができないため非常に不便である上、組立が面倒でペットの飼い主にとって好ましくなかった。
【０００７】
昇降受フレームの一面には、長形貫通孔が形成されている。この長形貫通孔は、高さを自在に調整することが可能な水筒固定フレームを取り付けるために用い、昇降受フレームは板面であり、内面に「長形貫通孔」が形成されているが、この構造の場合、後で使用する際に大型ペットが食器に噛みつき、２つの位置決め挟持板が正確な位置から外れる欠点を有する。
【０００８】
（２）特許文献２では、飲食・飲水用器具をペット用ケージに架設する必要がなく、独立式で設置したり架設したりすることができる。
【０００９】
挿設式縦フレームは、縦方向に延びた架体形態を呈し、フレーム胴体区分及び挿設端を含む。挿設端は挿設孔へ下向きに挿入され挿着式縦フレームの縦向状態が位置決めされる。フレーム本体部位は、製造されると一体成形され、縦横に交差された「補強リブ部」により挿設式縦フレーム構造が堅牢となり、挿設式縦フレームは「硬質プラスチック」からなることが好ましい。
【００１０】
特許文献２の組み立て式縦フレームは板面状であり、縦横に交差した「補強リブ部」を有し、「長形貫通部」により横向きに螺着した飲水機を位置決めする。
【００１１】
組み立て式縦フレームは「板面状」であり、その「長形貫通部」は、特許文献１と同様に昇降受フレームの「板面」を利用し、内部に「長形貫通孔」が形成されているが、「板面」及び「長形貫通孔」は従来技術に属する。また台座には、ペットフード収容部及び水滴受け槽が設けられているが、これらは特許文献２の主要な手段である。また、挿設式縦フレームは、中心が架設されていないため、飲食物が偏る状況が発生したり、大型ペットが食器に噛みついて、２つの位置決め挟板が正確に位置から外れたりする欠点があった。
【００１２】
（３）特許文献３は、ペットフード皿の飲水機の所定部位に螺着孔が形成され、この螺着孔に支持杆体を組み合わせて下端に延伸したねじ部を介して所定の方向で螺着され、支持杆体の所定部位に形成された槽孔には、一端が弧状に形成された挟持開口の挟持部材を反対方向へ延ばしたねじ部を槽孔の適宜な高さまで挿通し、螺合部材を所定の方向で固着し、ペットが舌で舐めて水を飲むことができるように飲水機が挟持部材の開口に掛合されている。
【００１３】
実際に使用する際、杆体が「板面」であり、槽孔が「長形貫通孔」であるため、螺合部材を所定の方向で固着する場合、依然として「板面」及びその「長形貫通孔」を飲水機へ螺着される装置から外すことができなかったり、台座上に設けた飲水、飲食皿の構造から外すことができなかったり、或いは大型のペットが食器に噛みつき、２つの位置決め挟板が正確な位置から外れてしまう欠点があった。
【００１４】
（４）特許文献４は、台座、ペットフード収納セット、架設ベース、給水器及びペットフード用碗から構成され、ペットフード収納セットによりペットフード用シュート及び給水器を支え、ペットフード収容セットが２つの管体からなり、架設されずに支持だけされ、台座がペットフード用碗を有する。
【００１５】
特許文献４は、「板面」及びその「長形貫通孔」を利用して飲水機を回転螺着させる手段を利用するため、構造が複雑で不便であった。
【先行技術文献】
【特許文献】
【００１６】
【特許文献１】台湾実用新案登録第３２７６３９号明細書
【特許文献２】台湾実用新案登録第４２６２７５号明細書
【特許文献３】台湾実用新案登録第４３１５６８号明細書
【特許文献４】台湾実用新案登録第３４２０３１号明細書
【考案の概要】
【考案が解決しようとする課題】
【００１７】
本考案の第１の目的は、簡素な平行杆部材に様々な種類の食器を架設し、板面及びその長形貫通孔を飲水機へ螺着させる手段の従来技術と異なり、組立が容易であるペット用食器の支持ベースを提供することにある。
本考案の第２の目的は、皿状台座の挿入孔を中心点上に位置させ、平行杆部材から中心点までの距離により支持ベースの重心を安定させたり、食器を皿状台座の中心点上へ位置させることにより飲食物が偏ることを防ぐペット用食器の支持ベースを提供することにある。
本考案の第３の目的は、食器の２つの位置決め挟持板により平行杆部材を挟持し、位置決め挟持板内に設けた凹凸突条装置に平行杆部材の一部が収納されるため、食器の固定が安定し、板面及びその長形貫通孔により飲水機に螺着させる従来の手段と異なり、大型ペットが食器に噛みついても２つの位置決め挟板が正確な位置から外れることがないペット用食器の支持ベースを提供することにある。
本考案の第４の目的は、皿状台座下には、底盆が設けられ、底盆の外径が皿状台座より大きいため、大きな底面積により安定性が高い上、ペットの飲食物を供給する際、食物又は水滴が不用意に落ちて床又は地面が汚れることを防ぐペット用食器の支持ベースを提供することにある。
【課題を解決するための手段】
【００１８】
上記課題を解決するために、本考案の第１の形態によれば、皿状台座、組立部材及び複数組の食器を備えたペット用食器の支持ベースであって、皿状台座は、挿入孔を有するベースであり、組立部材は、挿入孔に挿入して結合する挿入柱を底面に有し、食器は、２つの位置決め挟持板及び食器をそれぞれ有し、１組の平行杆部材が杆柱により構成され、組立部材の所定の位置に結合孔が形成され、結合孔に平行杆部材の末端部を挿入して結合し、食器の位置決め挟持板により平行杆部材が挟持され、食器が平行杆部材上に位置決めされ、平行杆部材には、様々な種類のペット用食器が架設され、組立が容易で、重心が安定し、支持ベースを傾き難くすることを特徴とするペット用食器の支持ベースが提供される。
【００１９】
皿状台座の挿入孔は中心点に位置し、組立部材の底面に設けられた挿入柱が中心点からずれ、平行杆部材から中心点までの距離により食器の重心が皿状台座の中心点上に位置し、支持ベースの重心が安定することが好ましい。
【００２０】
平行杆部材は、折り曲げて逆Ｕ字状杆に形成された杆体であることが好ましい。
【００２１】
組立部材の底面に設けられた挿入柱の周囲には、複数の突条体が設けられていることが好ましい。
【００２２】
皿状台座の底面には、複数の凹孔が形成され、底盆には、複数本の凸柱が設けられ、  凸柱が凹孔へ嵌入され、底盆の外径が皿状台座より大きいことが好ましい。
【００２３】
組立部材は、結合孔が頂部に形成され、皿状台座に対して垂直であることが好ましい。
【００２４】
上記課題を解決するために、本考案の第２の形態によれば、皿状台座及び複数組の食器を備えたペット用食器の支持ベースであって、皿状台座は、少なくとも１つの挿入孔を有するベースであり、食器は、２つの位置決め挟持板及び食器をそれぞれ有し、１組の平行杆部材は、杆柱から構成され、平行杆部材の末端部を皿状台座の挿入孔へ挿入し、食器の２つの位置決め挟持板により平行杆部材が挟持され、食器が平行杆部材上に位置決めされ、簡素な平行杆部材には、様々な種類のペット用食器が架設され、組立が容易で、重心が安定し、支持ベースを傾き難くすることを特徴とするペット用食器の支持ベースが提供される。
【００２５】
皿状台座の挿入孔の周囲には隆起したバンプが形成され、挿入孔が凹設されていることが好ましい。
【００２６】
皿状台座の周辺には、凸状周縁が形成されていることが好ましい。
【考案の効果】
【００２７】
本考案のペット用食器の支持ベースは、平行杆部材により多種類の食器を簡単に架設することができる上、組立てが容易である。
【図面の簡単な説明】
【００２８】
【図１】図１は、本考案の第１実施形態に係るペット用食器の支持ベースを示す分解斜視図である。
【図２】図２は、本考案の第１実施形態に係るペット用食器の支持ベースの組立部材を示す平面図である。
【図３】図３は、本考案の第１実施形態に係るペット用食器の支持ベースの組立部材に取り付けた皿状台座及び平行杆体を示す断面図である。
【図４】図４は、本考案の第１実施形態に係るペット用食器の支持ベースに各種食器を取り付けたときの状態を示す斜視図である。
【図５】図５は、本考案の第１実施形態に係るペット用食器の支持ベースに各種食器を取り付けたときの状態を示す側面図である。
【図６】図６は、本考案の第１実施形態に係るペット用食器の支持ベースの組立部材に取り付けた皿状台座及び平行杆体を示す斜視図である。
【図７】図７は、本考案の第２実施形態に係るペット用食器の支持ベースを示す分解斜視図である。
【図８】図８は、本考案の第２実施形態に係るペット用食器の支持ベースを示す斜視図である。
【図９】図９は、本考案の第３実施形態に係るペット用食器の支持ベースを示す側面図である。
【図１０】図１０は、本考案の第４実施形態に係るペット用食器の支持ベースを示す平面図である。
【図１１】図１１は、本考案の第４実施形態に係るペット用食器の支持ベースを示す横断面図である。
【図１２】図１２は、本考案の第４実施形態に係るペット用食器の支持ベースを示す縦断面図である。
【考案を実施するための形態】
【００２９】
以下、本考案の実施形態について図に基づいて説明する。なお、これによって本考案が限定されるものではない。
【００３０】
（第１実施形態）
図１〜図６を参照する。図１〜図６に示すように、本考案の第１実施形態に係るペット用食器の支持ベース１は、少なくとも皿状台座１０、組立部材１１、複数組の食器２０及び１組の平行杆部材１２から構成される。皿状台座１０は円形状のベースであり、中心に挿入孔１０１を有する。組立部材１１は、方形状、長方形状又は円形状のブロック体であり、底面の一辺に挿入柱１１１（組立部材１１の底面に設けた挿入柱１１１が組立部材１１の中心点とずれている）が設けられ、挿入柱１１１の周辺には、複数の突条体１１１１が設けられる。挿入柱１１１は、皿状台座１０の挿入孔１０１内に挿入されて結合され、組立部材１１の側辺には、２つの結合孔１１２が形成される。
【００３１】
１組の平行杆部材１２は、杆柱から構成される。平行杆部材１２は、折り曲げて逆Ｕ字状杆に形成された杆体であり、下部が約９０度の角度に曲げられ、平行杆部材１２の末端部１２１を組立部材１１の結合孔１１２内に挿入する（図４及び図５参照）。複数組の食器２０は、２つの位置決め挟持板２１，２２及び食器２０をそれぞれ有する。食器２０は、飲用碗２０１又は飲用水ボトル２０２でもよく、２つの位置決め挟持板２１，２２により平行杆部材１２を挟持し、平行杆部材１２上に食器２０を位置決めさせる。
【００３２】
皿状台座１０の挿入孔１０１は中心点に位置し、平行杆部材１２から中心点までの距離によりフレームベース１の重心を安定させたり、飲食物が偏らないように、食器２０を皿状台座１０の略中心点上に設置したりする。
【００３３】
上述の構造により、本考案の一実施形態に係るペット用食器の支持ベースは、組み立てる際に皿状台座１０の挿入孔１０１へ組立部材１１の挿入柱１１１を挿入して結合し、組立部材１１の側辺に設けた２つの結合孔１１２へ平行杆部材１２の末端部１２１を挿入し、食器２０の２つの位置決め挟持板２１，２２により平行杆部材１２を挟持し、各種食器２０を平行杆部材１２上へ位置決めできるようにし、組立てが完了する（図４及び図５参照）。
【００３４】
このように平行杆部材１２を利用して様々種類の食器２０を容易に架設させることができるため、組立が容易である上、板面及びその長形貫通孔により飲水機へ螺着させる従来技術の手段と異なり、本考案の構造は組立てが容易で、非常に便利である。
【００３５】
また、皿状台座１０の挿入孔１０１は、中心点に位置する。平行杆部材１２は、フレームベース１の重心を安定させたり、皿状台座１０の中心点に食器２０を安定させたりして、重心位置を中心点上にして飲食物が偏ることを防ぐ。
【００３６】
食器２０の２つの位置決め挟持板２１，２２により平行杆部材１２を挟持し、杆体を折り曲げて平行杆部材１２を形成し、位置決め挟持板２１内に設けた（従来技術の）凹凸突条装置に平行杆部材１２の一部が収納されるため、食器２０の固定が安定し、板面及びその長形貫通孔により飲水機に螺着させる従来の手段と異なり、大型ペットが食器に噛みついても２つの位置決め挟板が正確な位置から外れることがない。
【００３７】
（第２実施形態）
図７及び図８を参照する。図７及び図８に示すように、本考案の第２実施形態に係るペット用食器の支持ベースの皿状台座３０下には、底盆４０が設けられる。皿状台座３０の底面には、複数の凹孔３０２が形成される。底盆４０には、複数本の凸柱４１が設けられる。凸柱４１が凹孔３０２内に嵌入され、底盆４０の外径が皿状台座３０より大きいため、大きな底面積により安定性が高い上、ペットの飲食物を供給する際、食物又は水滴が不用意に落ちても床又は地面が汚れることを防ぐ。
【００３８】
（第３実施形態）
図９を参照する。図９に示すように、本考案の第３実施形態に係るペット用食器の支持ベースは、組立部材５１の結合孔５１２が頂部に形成され、皿状台座１０に対して垂直に設置され、結合孔５１２に平行杆部材５２の末端が挿入されて結合されるため、平行杆部材５２により様々な種類のペット用食器を結合して組合わせることができる。
【００３９】
（第４実施形態）
図１０〜図１２を参照する。図１０〜図１２に示すように、本考案の第４実施形態に係るペット用食器の支持ベース２は、少なくとも皿状台座６０、複数組の食器２０（図４及び図５参照）及び１組の平行杆部材６２からなる。皿状台座６０は方形状のベースであり、中心に２つの挿入孔６０１を有する。皿状台座６０の挿入孔６０１の周囲には隆起したバンプ６０２が形成され、挿入孔６０１部分が凹み、皿状台座６０の周辺には、凸状周縁６０３が形成されている。
【００４０】
１組の平行杆部材６２は、杆柱から構成される。平行杆部材６２は、彎曲された逆Ｕ字状杆に形成された杆体であり、平行杆部材６２の末端部６２１を皿状台座１０に挿入し、複数組の食器２０（図４及び図５の第１実施形態に係る複数組の食器２０と同じである）は、２つの位置決め挟持板２１，２２及び食器２０をそれぞれ有する。食器２０は、飲用碗２０１又は飲用水ボトル２０２により代替され、２つの位置決め挟持板２１，２２により平行杆部材６２を挟持し、食器２０を平行杆部材６２上に位置決めさせてもよい。
【００４１】
上述したことから分かるように、本考案のペット用食器の支持ベースは、簡単に平行杆部材６２を皿状台座６０へ結合させ、様々な種類の食器２０を架設させることができるため、重心が安定して支持ベース２が傾き難くなる上、容易に組立てることができる。
【００４２】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００４３】
１        フレームベース
２        支持ベース
１０      皿状台座
１１      組立部材
１２      平行杆部材
２０      食器
２１      位置決め挟持板
２２      位置決め挟持板
３０      皿状台座
４０      底盆
４１      凸柱
５１      組立部材
５２      平行杆部材
６０      皿状台座
６２      平行杆部材
１０１    挿入孔
１１１    挿入柱
１１２    結合孔
１２１    末端部
２０１    飲用碗
２０２    飲用水ボトル
３０２    凹孔
５１２    結合孔
６０１    挿入孔
６０２    バンプ
６０３    凸状周縁
６２１    末端部
１１１１  突条体
【図１】
0003187065.tif 000003
【図２】
0003187065.tif 000004
【図３】
0003187065.tif 000005
【図４】
0003187065.tif 000006
【図５】
0003187065.tif 000007
【図６】
0003187065.tif 000008
【図７】
0003187065.tif 000009
【図８】
0003187065.tif 000010
【図９】
0003187065.tif 000011
【図１０】
0003187065.tif 000012
【図１１】
0003187065.tif 000013
【図１２】
0003187065.tif 000014